(57)【特許請求の範囲】
【請求項１】
長尺の平板部の一方の側縁に内側連結部、他方の側縁に内側連結部が内側に嵌まる外側連結部を有し、複数枚を内側連結部と外側連結部との嵌め合いによって並列に連結する建築用壁面板において、前記内側連結部は、平板部と同一平面上に位置する底壁と、この底壁の内側縁から起立し、平板部へ向かって折り返され、その折り返し部分の途中に内側フックを形成した内側壁と、底壁の外側縁から起立し、先端に外向きに折り返した外側フックを形成した外側壁とからなる溝型形状をなし、前記外側連結部は、内側連結部を内側に嵌め入れた状態で、内側連結部の底壁に対向する頂壁と、この頂壁の内側縁から平板部に向かって垂下し、途中に内側連結部の外側フックに引っ掛かる内側重合フックを形成した内側壁と、頂壁の外側縁から垂下し、先端に内側連結部の内側フックに引っ掛かる外側重合フックを形成した外側壁とからなる、内側連結部と逆向きに開口する溝型形状をなすことを特徴とする複数枚の建築用壁面板を、平板部の下面を表側にして、内側連結部の内側フックと外側連結部の外側重合フック、および内側連結部の外側フックと外側連結部の内側重合フックとの嵌め合いにより連結し、各連結部の下方に外部から侵入する漏水を受けるガターを設け、各連結部の上方にジョイナーを取り付けて、野地板上に並列に固定した屋根構造。
【発明の詳細な説明】
【０００１】
【発明の属する技術分野】
この発明は、建築物の屋根材、外壁材、あるいは内壁材として使用することができる建築用壁面板に関する。
【０００２】
【従来の技術】
従来より、建築物の屋根や外壁、内壁などの外観部分を形成する建築用壁面板は、長尺の平板部と、この平板部の両側縁部に形成された内側連結部および、この内側連結部が内側に嵌まる外側連結部とから構成されている。この建築用壁面板は、使用に際して、前記内側連結部と外側連結部との嵌め合いにより複数枚並列につなぎ合わされ、ボルトなどの止め具によって、野地板などの基礎壁面に取り付けられる。
【０００３】
【発明が解決しようとする課題】
しかしながら、このような建築用壁面板は、あらかじめその用途や仕上げようとする外観形状に応じて形成されているために、目的によって種々使い分けなければならないという不都合がある。
【０００４】
そこで、この発明の課題は、多目的に使用可能な建築用壁面板を提供しようとすることである。
【０００５】
【課題を解決するための手段】
前記課題を解決するために、この発明の建築用壁面板においては、内側連結部を、平板部と同一平面上に位置する底壁と、この底壁の内側縁から起立し、平板部へ向かって折り返され、その折り返し部分の途中に内側フックを形成した内側壁と、底壁の外側縁から起立し、先端に外向きに折り返した外側フックを形成した外側壁とからなる溝型形状となるようにし、外側連結部を、内側連結部を内側に嵌め入れた状態で、内側連結部の底壁に対面する頂壁と、この頂壁の内側縁から平板部に向かって垂下し、途中に内側連結部の外側フックに引っ掛かる内側重合フックを形成した内側壁と、頂壁の外側縁から垂下し、先端に内側連結部の内側フックに引っ掛かる外側重合フックを形成した外側壁とからなり、内側連結部と逆向きに開口する溝型形状となるようにしたのである。
【０００６】
このような建築用壁面板を、内側連結部と外側連結部との嵌め合いにより複数枚並列につなぎ合わせると、内側連結部の内側フックと外側連結部の外側重合フック、および内側連結部の外側フックと外側連結部の内側重合フックとがそれぞれ引っ掛かり、平板部と同一平面上に位置する内側連結部の底壁と、内側連結部と逆向きに開口する溝型形状の外側連結部の頂壁とが対面し合って互いに平行となる。
【０００７】
その結果、基礎壁面表面に内側連結部の底壁を当接した場合には、この底壁にボルトなどの止め具取付用の挿通孔を形成することにより、建築用壁面板を基礎壁面に取り付けることができるだけでなく、外側連結部の頂壁に挿通孔を形成し、この頂壁を基礎壁面に当接しても、建築用壁面板の基礎壁面への取り付けが可能となるので、平板部のどちらの面を表側にしても、基礎壁面上に建築用壁面板を取り付けることができる。
【０００８】
【発明の実施の形態】
以下、添付図面にしたがって、この発明の実施の形態を説明する。
【０００９】
図１は、この発明に係る建築用壁面板を示している。図示のように、建築用壁面板には、長尺の平板部１の両側縁部に、内側連結部２と外側連結部３とがそれぞれ屈曲加工により形成されている。
【００１０】
内側連結部２は、平板部１と同一平面上に位置する底壁４と、この底壁４の内側縁および外側縁からそれぞれ起立した内側壁５および外側壁６とからなる溝型形状をなしている。内側壁５には、その途中に平板部１に向けて突出する内側フック７が形成されている。外側壁６の先端部分は外向きに折り返されており、この折り返し部分が外側フック８となっている。
【００１１】
外側連結部３は、平板部１から起立した内側壁９と、この内側壁９の先端から平板部１の水平外向きに延びる頂壁１０と、頂壁１０の外側縁から垂下する外側重合フック１１とがそれぞれ形成されており、前記内側連結部２と逆向きに開口する溝型形状をなしている。内側壁９には、前記内側連結部２の外側フック８と係合する内側重合フック１２が形成されており、この内側重合フック１２は、前記頂壁１０から平板部１に向かって垂下している。また、平板部１には、補強用のリブ１３が両側縁部と平行に形成されている。
【００１２】
図２および図３は、この建築用壁面板を、屋根板として使用した場合の一例を示している。この建築用壁面板には、前記内側連結部２の底壁４に、所定間隔をあけて、複数の挿通孔１４が形成されている。
【００１３】
この建築用壁面板の取り付けに際しては、両連結部２、３が屋根の棟から軒にわたるように建築用壁面板を野地板１５に載置し、前記挿通孔１４にタッピングビス１６を取り付けて固定する。そして、この建築用壁面板の内側連結部２と、他の建築用壁面板の外側連結部３とを互いに隣り合わせ、内側連結部２の内側フック７と外側連結部３の外側重合フック１１、および内側連結部２の外側フック８と外側連結部３の内側重合フック１２とを引っかけて、それぞれつなぎ合わせる。
【００１４】
この作業を複数回繰り返すことにより、屋根が形成される。このとき、前記両連結部２、３は、平板部１から起立した状態となっており、また、外側連結部３の頂壁１０が、内側連結部２を上から覆っているので、雨が降っても雨水が前記底壁４から野地板１５に至ることがない。このため、雨水は平板部１を伝って軒先まで誘導されることとなり、雨漏りを防止できる。
【００１５】
図４および図５は、この建築用壁面板を、屋根材として使用する他の例を示している。
【００１６】
この建築用壁面板には、外側連結部３の頂壁１０に、所定間隔をあけて複数の挿通孔１７が設けられている。この建築用壁面板は、前記実施の形態と上下逆向きに使用されており、互いに嵌まり合った連結部２、３が、平板部１の両側縁に沿った溝部１８を形成している。また、図示の屋根には、前記溝部１８に上から重なるジョイナー１９と、前記連結部の下方に位置して外側連結部３の頂壁１０に当接するガター２０とが用いられている。
【００１７】
ジョイナー１９は、縦方向に延びる金属板の両側部２１、２１を下方へ屈曲させ、この屈曲させた両側部２１、２１の中間部分を互いに寄り合う方向に突出するように湾曲した形状となっている。
【００１８】
ガター２０は、両側壁２２、２２の上端部２３、２３が、それぞれ互いに寄り合う方向に屈曲されて平坦となっており、この平坦な上端部２３、２３が、連結し合う建築用壁面板の下面それぞれに当接した状態で、前記溝部１８を収容している。このガター２０は、屋根の棟から軒までわたり、所定の間隔をあけて野地板１５上に複数並列配置されており、建築用壁面板を野地板１５から空間をあけて支持している。また、このガター２０と直交し、かつ、所定の間隔をあけて野地板１５に複数取り付けられた帯状のタイトフレーム２４によって、ガター２０は固定されている。
【００１９】
タイトフレーム２４には、野地板１５に当接する基板部２５に、ガター２０を乗り越えてガター２０を上方から野地板１５に押しつけて固定する固定部２６を、ガター２０の間隔に合わせて複数設けてある。この固定部２６は、ガター２０の外側面に沿って起立する脚部２７、２７と、ガター２０の上端部２３、２３を連結するとともにガター２０の上端部２３、２３に当接する屈曲部２８とからなり、この屈曲部２８の中央には、ネジ孔２９を設けた凹部３０が形成されている。
【００２０】
また、前記基板部２５の両端部は、野地板１５から起立して、野地板１５と平行となるように外側に向けて屈曲しており、この両端部と建築用壁面板との間には、木座３１が設けられている。
【００２１】
この建築用壁面板の取り付けに際しては、まず、野地板１５上に、左右に所定間隔をあけてガター２０を複数載置する。そして、野地板１５に、複数のタイトフレーム２４を、固定部２６が上方から各ガター２０に嵌まるように所定の間隔をあけて載置し、タイトフレーム２４の基板部２５を、タッピングビス３２により野地板１５に取り付けて、固定部２６によりガター２０を野地板１５に押しつけて、ガター２０を固定する。
【００２２】
つぎに、複数のタイトフレーム２４の両端部間に木座３１を配置して固定し、この木座３１の上に建築用壁面板を載置して、外側連結部３の頂壁１０が下になるようにガター２０に嵌め込む。頂壁１０の挿通孔１７にボルト３３を挿通し、このボルト３３をタイトフレーム２４のネジ孔２９にねじ合わせる。
【００２３】
そして、前記外側連結部３に、この建築用壁面板に隣り合う他の建築用壁面板の内側連結部２を嵌め入れる。
【００２４】
このようにして野地板１５に建築用壁面板を敷きつめたあと、各連結部分に、全長にわたって上方からジョイナー１９を被せ、ジョイナー１９の突出部分を前記両連結部２、３に係合すると、外観がほぼフラットな屋根が完成する。
【００２５】
このように形成された屋根は、雨水がジョイナー１９と建築用壁面板の間から前記溝部１８へ侵入しても、この溝部１８から軒先まで誘導される。
【００２６】
また、大雨などにより、侵入した雨水が溝部１８から溢れだしても、ジョイナー１９と建築用壁面板の間から建築用壁面板の上面に逆流してもどるだけなので、この雨水が野地板１５に至らず、雨漏りが発生しない。
【００２７】
さらに、溝部１８に侵入した雨水が、建築用壁面板の間や外側連結部３の挿通孔１７から下方へ漏れても、ガター２０によって受け止められて軒先まで誘導されるので、雨漏りが発生しない。
【００２８】
図６および図７は、この建築用壁面板を、壁板として使用する一例を示している。この建築用壁面板には、図４および図５に、外側連結部３の頂壁１０に所定間隔をあけて複数の挿通孔３４が設けられている。
【００２９】
この建築用壁面板の取り付けに際しては、両連結部が壁面の上下にわたるように、前記外側連結部３の頂壁１０を、壁面となる基礎壁面３５の表面に当接する。つぎに、前記挿通孔３４にボルト３６を挿通して、基礎壁面３５に建築用壁面板を固定する。つぎに、この建築用壁面板と隣り合う他の建築用壁面板の内側連結部２を、前記外側連結部３に嵌め合わせ、前記他の建築用壁面板の外側連結部３を、前記同様に、ボルト３６によって基礎壁面３５の表面に固定する。
【００３０】
そして、それぞれの連結部分に、図４および図５に示すと同様のジョイナー３７を係合させると、図示のように、外観がほぼフラットな壁が完成する。
【００３１】
【発明の効果】
以上説明したように、この発明の建築用壁面板は、使用に際して内側連結部と外側連結部とが嵌め合わされると、内側連結部の内側フックと外側連結部の外側重合フック、および内側連結部の外側フックと外側連結部の内側重合フックとがそれぞれ引っ掛かる。そして、平板部と同一平面上に位置する内側連結部の底壁と、内側連結部と逆向きに開口する溝型形状の外側連結部の頂壁とが対面し、かつ、互いに平行となる。
【００３２】
その結果、内側連結部の底壁または外側連結部の頂壁のいずれかに挿通孔を設けることにより、いずれの壁面を基礎壁面に当接しても、ボルトなどの止め具とともに建築用壁面板の基礎壁面への取り付けが可能となるので、屋根や外壁、内壁など、多様な使用が可能となる。
【図面の簡単な説明】
【図１】この発明の建築用壁面板を示す断面図
【図２】図１の建築用壁面板を屋根板として使用した形態を示す斜視図
【図３】図２の要部断面図
【図４】図１の建築用壁面板を屋根板として使用した他の形態を示す斜視図
【図５】図４の要部断面図
【図６】図１の建築用壁面板を壁板として使用した形態を示す斜視図
【図７】図６の要部断面図
【符号の説明】
１  平板部
２  内側連結部
３  外側連結部
４  底壁
５、９  内側壁
６  外側壁
７  内側フック
８  外側フック
１０  頂壁
１１  外側重合フック
１２  内側重合フック
１３  リブ
１４、１７、３４  挿通孔
１５  野地板
１６、３２  タッピングビス
１８  溝部
１９、３７  ジョイナー
２０  ガター
２１  側部
２２  側壁
２３  上端部
２４  タイトフレーム
２５  基板部
２６  固定部
２７  脚部
２８  屈曲部
２９  ネジ孔
３０  凹部
３１  木座
３３、３６  ボルト
３５  基礎壁面
【図１】
0003756254.tif 000002
【図２】
0003756254.tif 000003
【図３】
0003756254.tif 000004
【図４】
0003756254.tif 000005
【図５】
0003756254.tif 000006
【図６】
0003756254.tif 000007
【図７】
0003756254.tif 000008